(57)【特許請求の範囲】
【請求項１】
円筒状の弾性部材の長手方向に沿って切り込みを設け、この切り込みを介して、鉄棒を被覆するように弾性部材を鉄棒に回転可能に装着する鉄棒練習具において、弾性部材の内周壁側の切り込みに沿って粘着テープを貼り着けるための鉄棒練習具用の粘着テープ貼着装置であり、
該鉄棒練習具用の粘着テープ貼着装置は、
巻物状粘着テープのホルダーと、ホルダーの下部において水平方向に延設したアームにより構成され、
巻物状粘着テープのホルダーは、所定の基板と、基板の上面側に設けた巻物状粘着テープの保持部と、基板の下面側に設けたクリップ状の鉄棒挟持部により構成され、
巻物状粘着テープの保持部は、基板の上面側に所定の間隔を開けて左右の側壁を立設し、両側壁間に巻物状粘着テープを回転可能に支持する軸部を備え、
アームは、平行に配置した２本の棒状体を、ホルダーの基板に進退自在に取り付けて構成し、２本の棒状体の先端部間に、引き出された粘着テープの先端部を一時的に固定する仮止め部を設けていることを特徴とする、鉄棒練習具用の粘着テープ貼着装置。
【請求項２】
巻物状粘着テープのホルダーは、保持部の軸部により、巻物状粘着テープの粘着面を上側に向けた状態で、粘着テープを引き出すことができるように巻物状粘着テープを支持している請求項１に記載の鉄棒練習具用の粘着テープ貼着装置。
【請求項３】
アームを構成する２本の棒状体は、ホルダーから離脱できる請求項１または２に記載の鉄棒練習具用の粘着テープ貼着装置。
【請求項４】
巻物状粘着テープのホルダーが、クリップ状の鉄棒挟持部を介して、鉄棒に取り付けられている状態において、アームの仮止め部に粘着テープの先端部を一時的に固定し、粘着テープを引き出しながら２本の棒状体を側方に向けて突出させてからアームをホルダーから離脱させ、粘着テープを鉄棒に沿うように配置する請求項１乃至３のいずれかに記載の鉄棒練習具用の粘着テープ貼着装置。
【請求項５】
保持部を構成する左右の側壁において、一方の側壁に軸部を固定し、他方の側壁の下端部を、所定のヒンジ部を介して基板に取り付けて、他方の側壁が基板において傾倒可能である請求項１乃至４のいずれかに記載の鉄棒練習具用の粘着テープ貼着装置。
【請求項６】
他方の側壁の下端部と基板の間に、他方の側壁が起立した状態を維持する操作部を備えている請求項１乃至５のいずれかに記載の鉄棒練習具用の粘着テープ貼着装置。
【発明の詳細な説明】
【技術分野】
【０００１】
例えば、小学生等の遊技者が鉄棒を両手で持ち、片脚の膝の裏側を鉄棒に引っ掛けて前方回転や後方回転を行う際に、遊技者が滑らかに回転して鉄棒の技能を高めると共に、遊技者の膝の裏側の皮膚に損傷が生じる事態の発生を防止するものとして、所定の鉄棒練習具が存在している。
【０００２】
この鉄棒練習具は、円筒状の弾性部材の長手方向に沿って切り込みを設け、この切り込みを介して、鉄棒を被覆するように弾性部材を鉄棒に回転可能に装着するもので、弾性部材の内周壁側の切り込みに沿って粘着テープを貼り着けて、弾性部材を鉄棒に取り付けている。
【０００３】
本発明は、この様な鉄棒練習具において、弾性部材の内周壁側の切り込みに沿って、粘着テープを容易に貼り着けることのできる、鉄棒練習具用の粘着テープ貼着装置に関するものである。
【背景技術】
【０００４】
従来より、鉄棒練習具として、種々のものが提案されている。
【０００５】
この鉄棒練習具１００は、例えば、図１２に示すように、円筒状の弾性部材１０の長手方向に沿って切り込み１０２を設け、この切り込み１０２を介して、鉄棒Ｐを被覆するように弾性部材１０１を鉄棒Ｐに回転可能に装着するものが存在している。
【０００６】
この鉄棒練習具１００は、弾性部材１０１の内周壁側の切り込み１０２Ａに沿って粘着テープＴを貼り着けることにより、弾性部材１０１を鉄棒Ｐに取り付けて、弾性部材１０１が鉄棒Ｐから外れてしまう事態の発生を防止している。
【先行技術文献】
【特許文献】
【０００７】
【特許文献１】特になし
【発明の概要】
【発明が解決しようとする課題】
【０００８】
しかしながら、上記した鉄棒練習具１００においては、鉄棒Ｐを被覆するように弾性部材１０１を鉄棒Ｐに回転可能に装着した状態で、弾性部材１０１の内周壁側の切り込み１０２Ａに沿って粘着テープＴを貼り着けて、弾性部材１０１を鉄棒Ｐに取り付けていることから、その粘着テープＴの貼り着け作業が非常に面倒であった。
【０００９】
この粘着テープＴの貼り着け手法としては、まず、好ましい長さに切断した粘着テープＴを、粘着面を上側に向けた状態で鉄棒Ｐの上に配置する。
【００１０】
そして、切り込み１０２に沿って弾性部材１０１を若干開いた状態とし、弾性部材１０１の開口部を上側にした状態で、鉄棒Ｐの下側から弾性部材１０１を鉄棒Ｐに宛がい、弾性部材１０１の内部に鉄棒Ｐを収容するようにして、鉄棒Ｐに弾性部材１０１を装着する。
【００１１】
この状態で、弾性部材１０１の開口部を閉じ、弾性部材１０１を上側から手で握って、下方に向けて押し付けていた。そして、弾性部材１０１の内周壁側の切り込み１０２Ａ部分を粘着テープＴに押し付けて、弾性部材１０１の内周壁側の切り込み１０２Ａに跨るようにして、当該切り込み１０２Ａに沿って粘着テープＴを貼り着けていた。
【００１２】
この様に、弾性部材１０１の内周壁側の切り込み１０２Ａに沿って粘着テープＴを貼り着けていたのであるが、粘着テープＴは薄膜状で、未使用時には所定のテンションで全体が積層状に巻き付けられていることから、使用時に粘着テープＴを好ましい長さに引き出して切断すると、当該切断した粘着テープＴが螺旋状等にまるまってしまう性質を有している。
【００１３】
その為、好ましい長さに切断した粘着テープＴを、粘着面を上側に向けた状態で鉄棒Ｐの上に配置して粘着テープＴから手を離すと、粘着テープＴがまるまって鉄棒Ｐから落下してしまうこととなる。
【００１４】
従って、特定の者が粘着テープＴの両端部を両手の指で摘んで、そのまま粘着面を上側に向けた状態で鉄棒Ｐの上に粘着テープＴを押さえ付けなければならならなかった。
【００１５】
そして、他の者が、切り込み１０２に沿って弾性部材１０１を若干開いた状態とし、弾性部材１０１の開口部を上側にした状態で、鉄棒Ｐの下側から弾性部材１０１を鉄棒Ｐに宛がい、弾性部材１０１の内部に鉄棒Ｐを収容するようにして、鉄棒Ｐに弾性部材１０１を装着し、この状態で弾性部材１０１の開口部を閉じ、弾性部材１０１の内周壁側の切り込み１０２Ａ部分を粘着テープＴに押し付けて、弾性部材１０１の内周壁側の切り込み１０２Ａに跨るようにして、当該切り込み１０２Ａに沿って粘着テープＴを貼り着けていた。
【００１６】
この様に、弾性部材１０１の内周壁側の切り込み１０２Ａに沿って粘着テープＴを貼り着ける行為を、１人で行うことができず、粘着テープＴを押さえ付ける者と、弾性部材１０１を鉄棒Ｐに装着する者の２人で行っていたのである。
【００１７】
また、弾性部材１０１の内周壁側の切り込み１０２Ａに沿って粘着テープＴを貼り着ける行為を、粘着テープＴを押さえ付ける者と、弾性部材１０１を鉄棒Ｐに宛がう者の２人で行った場合であっても、粘着テープＴの位置がずれてしまい、弾性部材１０１の内周壁側の切り込み１０２Ａに跨るようにして、当該切り込み１０２Ａに沿って粘着テープＴを貼り着けることができない事態が生じていた。
【００１８】
そして、弾性部材１０１の内周壁側の切り込み１０２Ａに沿って粘着テープＴをうまく貼り着けることができるまで、この様な行為を繰り返し行って、結果として粘着テープＴを浪費してしまう事態が生じていた。
【００１９】
そこで、本発明は如上のような従来存した諸事情に鑑み創出されたもので、鉄棒に装着する弾性部材の内周壁側の切り込みに沿って、粘着テープを容易に貼り着けることができ、また、必要以上の粘着テープを浪費することのない、鉄棒練習具用の粘着テープ貼着装置を提供することを目的とする。
【課題を解決するための手段】
【００２０】
本発明は、円筒状の弾性部材の長手方向に沿って切り込みを設け、この切り込みを介して、鉄棒を被覆するように弾性部材を鉄棒に回転可能に装着する鉄棒練習具において、弾性部材の内周壁側の切り込みに沿って粘着テープを貼り着けるための鉄棒練習具用の粘着テープ貼着装置であり、該鉄棒練習具用の粘着テープ貼着装置は、巻物状粘着テープのホルダーと、ホルダーの下部において水平方向に延設したアームにより構成され、巻物状粘着テープのホルダーは、所定の基板と、基板の上面側に設けた巻物状粘着テープの保持部と、基板の下面側に設けたクリップ状の鉄棒挟持部により構成され、巻物状粘着テープの保持部は、基板の上面側に所定の間隔を開けて左右の側壁を立設し、両側壁間に巻物状粘着テープを回転可能に支持する軸部を備え、アームは、平行に配置した２本の棒状体を、ホルダーの基板に進退自在に取り付けて構成し、２本の棒状体の先端部間に、引き出された粘着テープの先端部を一時的に固定する仮止め部を設けていることで、上述した課題を解決した。
【００２１】
また、巻物状粘着テープのホルダーは、保持部の軸部により、巻物状粘着テープの粘着面を上側に向けた状態で、粘着テープを引き出すことができるように巻物状粘着テープを支持していることで、同じく上述した課題を解決した。
【００２２】
さらに、アームを構成する２本の棒状体は、ホルダーから離脱できることで、同じく上述した課題を解決した。
【００２３】
また、巻物状粘着テープのホルダーが、クリップ状の鉄棒挟持部を介して、鉄棒に取り付けられている状態において、アームの仮止め部に粘着テープの先端部を一時的に固定し、粘着テープを引き出しながら２本の棒状体を側方に向けて突出させてからアームをホルダーから離脱させ、粘着テープを鉄棒に沿うように配置することで、同じく上述した課題を解決した。
【００２４】
加えて、保持部を構成する左右の側壁において、一方の側壁に軸部を固定し、他方の側壁の下端部を、所定のヒンジ部を介して基板に取り付けて、他方の側壁が基板において傾倒可能であることで、同じく上述した課題を解決した。
【００２５】
また、他方の側壁の下端部と基板の間に、他方の側壁が起立した状態を維持する操作部を備えていることで、同じく上述した課題を解決した。
【発明の効果】
【００２６】
本発明に係る鉄棒練習具用の粘着テープ貼着装置は、円筒状の弾性部材の長手方向に沿って切り込みを設け、この切り込みを介して、鉄棒を被覆するように弾性部材を鉄棒に回転可能に装着する鉄棒練習具において、弾性部材の内周壁側の切り込みに沿って、粘着テープを容易に貼り着けることができる。
【００２７】
即ち、鉄棒練習具用の粘着テープ貼着装置は、巻物状粘着テープのホルダーと、ホルダーの下部において水平方向に延設したアームにより構成され、巻物状粘着テープのホルダーは、所定の基板と、基板の上面側に設けた巻物状粘着テープの保持部と、基板の下面側に設けたクリップ状の鉄棒挟持部により構成されていることから、巻物状粘着テープのホルダーを、鉄棒挟持部を介して、誰もが簡単に鉄棒に取り付けることができる。
【００２８】
そして、巻物状粘着テープの保持部は、基板の上面側に所定の間隔を開けて左右の側壁を立設し、両側壁間に巻物状粘着テープを回転可能に支持する軸部を備えているので、この軸部を介して、保持部に巻物状粘着テープを確実に保持することができる。
【００２９】
また、アームは、平行に配置した２本の棒状体により構成され、２本の棒状体は、ホルダーの基板に進退自在に取り付けられ、２本の棒状体の先端部間に、引き出された粘着テープの先端部を一時的に固定する仮止め部を設けていることから、巻物状粘着テープのホルダーを鉄棒に取り付けている状態において、粘着テープの先端部を仮止め部に固定し、アーム（２本の棒状体）を側方に向けて突出させることにより、アーム（２本の棒状体）を鉄棒に沿うように配置できる。このとき、粘着テープも引き出されて、粘着テープも鉄棒に沿うように配置できる。
【００３０】
さらに、巻物状粘着テープのホルダーは、保持部の軸部により、巻物状粘着テープの粘着面を上側に向けた状態で、粘着テープを引き出すことができるように巻物状粘着テープを支持していることから、鉄棒に沿うように配置した粘着テープも、粘着面を上側に向けた状態となっている。
【００３１】
そして、アームを構成する２本の棒状体は、ホルダーから離脱できることから、アームを介して粘着テープを所定の長さに引き出した後、アームを構成する２本の棒状体をホルダーから離脱させ、２本の棒状体の基端部側を下方に向けて移動させて、鉄棒に直交するような状態とする。
【００３２】
このとき、２本の棒状体は、粘着テープを引き出して鉄棒に沿うように配置していると共に、当該２本の棒状体の先端部間に配置している粘着テープの仮止め部が鉄棒に当たって、２本の棒状体が鉄棒に吊り下げられた様な状態となる。
【００３３】
そして、鉄棒に沿うように配置されている粘着テープにおいて、仮止め部の近傍とホルダーの近傍のそれぞれを、所定の挟持部材を用いて粘着テープを鉄棒に押し付けるように挟み込んで、粘着テープを鉄棒に仮止めする。
【００３４】
この様に、本発明に係る鉄棒練習具用の粘着テープ貼着装置を使用することにより、粘着面を上側に向けた状態を維持しながら、粘着テープを鉄棒に沿うように確実に配置できるのである。また、粘着テープが螺旋状等にまるまって落下したり、鉄棒に絡まってしまう事態の発生も確実に防止できることとなる。
【００３５】
この様に、粘着面を上側に向けた状態で、鉄棒に沿うように配置されている粘粘着テープ部分に、弾性部材を宛がう。
【００３６】
具体的には、切り込み１０２に沿って弾性部材１０１を若干開いた状態とし、弾性部材１０１の開口部を上側にした状態で、鉄棒Ｐの下側から弾性部材１０１を鉄棒Ｐに宛がい、弾性部材１０１の内部に鉄棒Ｐを収容するようにして、鉄棒Ｐに弾性部材１０１を装着する。
【００３７】
この状態で、弾性部材１０１の開口部を閉じ、弾性部材１０１を上側から手で握って、下方に向けて押し付けて、弾性部材１０１の内周壁側の切り込み１０２Ａ部分を粘着テープＴに押し付けることにより、弾性部材１０１の内周壁側の切り込み１０２Ａに跨るようにして、当該切り込み１０２Ａに沿って粘着テープを確実に貼り着けることができる。
【００３８】
その後は、弾性部材の両端部から突出している粘着テープを、それぞれ切断することにより、巻物状粘着テープのホルダーと、ホルダーから離脱している２本の棒状体を鉄棒から撤去する。
【００３９】
この様に、本発明に係る鉄棒練習具用の粘着テープ貼着装置を使用することにより、誰もが簡単に、弾性部材の内周壁側の切り込みに沿って粘着テープを貼り着けることができる。
【００４０】
また、弾性部材の内周壁側の切り込みに沿って粘着テープを貼り着ける行為を、１人で行うことができる。
【００４１】
さらに、鉄棒に配置した粘着テープの位置がずれることが無く、弾性部材の内周壁側の切り込みに沿って粘着テープを確実に貼り着けることができることから、粘着テープを貼り着ける行為を繰り返し行う必要が無く、粘着テープの浪費も防止できる。
【００４２】
この他、鉄棒練習具用の粘着テープ貼着装置においては、保持部を構成する左右の側壁において、一方の側壁に軸部を固定し、他方の側壁の下端部を、所定のヒンジ部を介して基板に取り付けて、他方の側壁が基板において傾倒可能であることから、必要に応じて他方の側壁を傾倒させて、巻物状粘着テープを交換したり、補充することができる。
【００４３】
また、他方の側壁の下端部と基板の間に、他方の側壁が起立した状態を維持する操作部を備えていることから、ホルダーに、巻物状粘着テープを確実に保持することができる。
【図面の簡単な説明】
【００４４】
【図１】巻物状粘着テープのホルダーと、ホルダーの下部において水平方向に延設したアームにより構成されている、鉄棒練習具用の粘着テープ貼着装置の構成を示す斜視図である。
【図２】巻物状粘着テープのホルダーにおいて、粘着テープの保持部を構成する一方の側壁を傾倒させている状態を示す斜視図である。
【図３】ホルダーの操作部の構成を示すもので、（ａ）は操作杆の操作片を保持部を構成する筒状部分の下方の横溝に係合させて、操作杆の先端部側を下方に向けて突出させて受け部の筒状部分に挿入し、側壁が起立した状態が維持している状態を示す斜視図、（ｂ）は操作杆の操作片を保持部を構成する筒状部分の上方の横溝に係合させて、操作杆の先端部側を受け部の筒状部分から引き抜いて、側壁が傾倒できる状態を示す斜視図、（ｃ）は基板において側壁が傾倒した状態を示す側面図である。
【図４】鉄棒練習具用の粘着テープ貼着装置を、鉄棒に取り付ける状態を示す分解斜視図である。
【図５】鉄棒練習具用の粘着テープ貼着装置を、鉄棒に取り付けた状態を示す斜視図である。
【図６】アーム（２本の棒状体）を側方に向けて突出させ、粘着面を上側に向けた状態の粘着テープを鉄棒に沿うように配置すると共に、アーム（２本の棒状体）をホルダーから離脱させた状態を示す斜視図である。
【図７】アーム（２本の棒状体）が、鉄棒を跨ぐようにして鉄棒に吊り下げられている状態を示す斜視図である。
【図８】鉄棒に沿うように配置されている粘着テープにおいて、仮止め部の近傍とホルダーの近傍のそれぞれを、所定の挟持部材を用いて挟み込んでいる状態を示す斜視図である。
【図９】粘着面を上側に向けた状態で、鉄棒に沿うように配置されている粘着テープ部分に、弾性部材を装着した状態を示す斜視図である。
【図１０】弾性部材の両端部から突出している粘着テープ部分を、カッター等を用いてそれぞれ切断している状態を示す斜視図である。
【図１１】巻物状粘着テープのホルダーと、ホルダーから離脱しているアーム（２本の棒状体）を、鉄棒から撤去している状態を示す斜視図である。
【図１２】鉄棒練習具である円筒状の弾性部材を、鉄棒に回転可能に装着している状態を示す斜視図である。
【発明を実施するための形態】
【００４５】
以下に、図面を参照して、本発明を実施するための形態を詳細に説明する。
【００４６】
本発明に係る鉄棒練習具用の粘着テープ貼着装置１は、鉄棒Ｐに鉄棒練習具１００を取り付ける際に使用されるものである。
【００４７】
鉄棒練習具１００は、図１２に示すように、円筒状の弾性部材１０１の長手方向に沿って切り込み１０２を設け、この切り込み１０２を介して、鉄棒Ｐを被覆するように弾性部材１０１を鉄棒Ｐに回転可能に装着している。
【００４８】
本発明に係る鉄棒練習具用の粘着テープ貼着装置１は、この鉄棒練習具１００において、弾性部材１０１の内周壁側の切り込み１０２Ａに沿って、粘着テープＴを貼り着けるものである。このとき、図１２に示す粘着テープＴの粘着面は、鉄棒Ｐの周面を背にした外側に配置されており、弾性部材１０１の内周壁側の切り込み１０２Ａに跨るようにして、当該切り込み１０２Ａに沿って貼り着けられている。
【００４９】
本発明に係る鉄棒練習具用の粘着テープ貼着装置１は、図１に示すように、巻物状粘着テープＴ１のホルダー２と、ホルダー２の下部において水平方向に延設したアーム３により構成されている。
【００５０】
巻物状粘着テープＴ１のホルダー２は、図１に示すように、所定の厚みを有する長方形状の基板４と、基板４の上面側に設けた巻物状粘着テープＴ１の保持部５と、基板４の下面側に設けたクリップ状の鉄棒挟持部６により構成されている。この巻物状粘着テープＴ１のホルダー２は、図５・図６に示すように、クリップ状の鉄棒挟持部６を介して、鉄棒Ｐに取り付けられる。
【００５１】
巻物状粘着テープＴ１の保持部５は、図１に示すように、基板４において所定の間隔を開けて左右の側壁５Ａ・５Ｂを立設し、両側壁５Ａ・５Ｂ間に巻物状粘着テープＴ１を回転可能に支持する軸部７を備えている。両側壁５Ａ・５Ｂは、縦長の矩形状に形成され、上方部分が略半円状に形成されている。
【００５２】
また、巻物状粘着テープＴ１の保持部５は、軸部７により、巻物状粘着テープＴ１の粘着面を上側に向けた状態で、粘着テープＴを引き出すことができるように、巻物状粘着テープＴ１を支持している。
【００５３】
巻物状粘着テープＴ１の保持部５を構成する左右の側壁５Ａ・５Ｂにおいて、一方の側壁５Ａは、図１・図２に示すように、基板４に対して立設した状態を維持するように、基板４に固定されている。この側壁５Ａは、基板４の側面に立設状に固定されている。
【００５４】
これに対し、他方の側壁５Ｂは、その下端部を、所定のヒンジ部８を介して基板４に取り付けて、基板４において傾倒可能となっている。具体的には、図１に示すように、基板４の上面に他方の側壁５Ｂを載置した状態で、基板４の側面と側壁５Ｂに跨るように所定のヒンジ部８を固定している。そして、側壁５Ｂは、図２に示すように、基板４の外側に向けて傾倒可能となっている。
【００５５】
巻物状粘着テープＴ１の保持部５を構成する左右の側壁５Ａ・５Ｂ間には、巻物状粘着テープＴ１を回転可能に支持する軸部７を備えているが、この軸部７は、図２に示すように、その基端部が側壁５Ａに固定されている。
【００５６】
軸部７は、所定の長さの筒状に形成され、その周壁面に複数本の切り込み７ａを設けている。また、軸部７の先端部は、立設している側壁５Ｂに係合している。
【００５７】
側壁５Ｂは、図２に示すように、上方部分に円孔９が設けられている。そして、側壁５Ｂが立設したときに、図１に示すように、側壁５Ｂの円孔９が、筒状の軸部７の先端部に宛がわれ、軸部７の先端部が円孔９内に進入して、軸部７の先端部が側壁５Ｂの円孔９に係合するのである。
【００５８】
この他、側壁５Ｂの下端部と基板４の間には、側壁５Ｂが起立した状態を維持する操作部１０を備えている。
【００５９】
操作部１０は、図１に示すように、ヒンジ部８に隣接するように配置されている。この操作部１０は、図３（Ａ）に示すように、側壁５Ｂの下端部に設けている操作杆１１の保持部１２と、基板４の側面に設けている受け部１３により構成されている。受け部１３は、操作杆１１の先端部側を挿入する部分である。
【００６０】
操作杆１１は、所定の長さの円柱状に形成され、その周面に操作片１４を備えている。
【００６１】
保持部１２は、操作杆１１を上下に移動できるように収容するもので、操作杆１１の先端部側が、下方に向けて突出できる筒状部分１５を備えている。また、この筒状部分１５には、所定の長さの縦溝１６と、縦溝１６の上下にそれぞれ連設している短尺な横溝１７・１８を設けている。この縦溝１６と短尺な横溝１７・１８は、操作杆１１における操作片１４の移動を許容している部分である。
【００６２】
そして、操作杆１１の操作片１４を、保持部１２を構成する筒状部分１５の下方の横溝１８に係合させたとき、図３（Ａ）に示すように、操作杆１１の先端部側が、下方に向けて突出した状態となる。また、操作杆１１の操作片１４を、上方の横溝１７に係合させたとき、図３（Ｂ）に示すように、操作杆１１の先端部側は、筒状部分１５の内部に退避した状態となる。
【００６３】
受け部１３は、操作杆１１の操作片１４を下方の横溝１８に係合させて、突出している操作杆１１の先端部側を挿入する筒状部分１９を備えている。そして、図３（Ａ）に示すように、操作杆１１の操作片１４を下方の横溝１８に係合させて、突出している操作杆１１の先端部側を受け部１３の筒状部分１９に挿入したとき、図１に示すように、側壁５Ｂの起立した状態が維持される。
【００６４】
また、図３（Ｂ）に示すように、操作杆１１の先端部側が、筒状部分１５の内部に退避し、操作杆１１の先端部側が受け部１３の筒状部分１９から引き抜かれたとき、図２・図３（Ｃ）に示すように、側壁５Ｂが基板４の外側に向けて傾倒できる状態となる。
【００６５】
この様に、側壁５Ｂが基板４の外側に向けて傾倒した状態において、図２に示すように、立設している状態の側壁５Ａに固定されている軸部７に、巻物状粘着テープＴ１を装着する。そして、図４に示すように、側壁５Ｂを立設させて、軸部７の先端部を、側壁５Ｂの円孔９に係合させる。このとき、巻物状粘着テープＴ１は、その粘着面を上側に向けた状態で、粘着テープＴを引き出すことができるように装着されている。
【００６６】
巻物状粘着テープＴ１のホルダー２から、水平方向に延設したアーム３は、図１・図２に示すように、平行に配置した２本の棒状体３Ａ・３Ｂにより構成されている。２本の棒状体３Ａ・３Ｂは、ホルダー２の基板４に進退自在に取り付けられており、鉄棒練習具用の粘着テープ貼着装置１の使用時に、２本の棒状体３Ａ・３Ｂが、ホルダー２の側方に向けて突出するようになっている。
【００６７】
この２本の棒状体３Ａ・３Ｂの基端部側は、ホルダー２の基板４上において、所定の間隔を開けて固定されているガイド部２０に収容されている。このガイド部２０は、棒状体３Ａ・３Ｂが水平方向に移動できるように、棒状体３Ａ・３Ｂの基端部側を収容する所定の長さの筒状に形成されている。
【００６８】
また、棒状体３Ａ・３Ｂの基端部側は、ガイド部２０を通過して、ホルダー２から離脱できるようになっている。
【００６９】
さらに、２本の棒状体３Ａ・３Ｂの先端部側には、引き出された粘着テープＴの先端部を、一時的に固定する仮止め部２２を設けている。
【００７０】
仮止め部２２は、図１・図２に示すように、操棒状体３Ａ・３Ｂの先端部に固定した矩形状の板部材２３と、この板部材２３間に取り付けた掛架片２４と、掛架片２４上に固定したクリップ状の挟持部２５により構成されている。
【００７１】
掛架片２４は、柔軟性を有する部材により形成されている。また、クリップ状の挟持部２５は、引き出された粘着テープＴの先端部を挟み込んで、一時的に固定するものである。これらの掛架片２４の取り付けや、挟持部２５の固定は、例えば、ネジ止め等の手段を用いる。
【００７２】
以下に、鉄棒練習具用の粘着テープ貼着装置１について、使用の一例を説明する。
【００７３】
まず、図４に示すように、ホルダー２に、粘着面を上側に向けた状態で巻物状粘着テープＴ１が装着されている粘着テープ貼着装置１において、アーム３（棒状体３Ａ・３Ｂ）の仮止め部２２を、ホルダー２側に移動させておく。この状態において、粘着面を上側に向けた状態を維持しながら巻物状粘着テープＴ１から粘着テープＴを引き出し、粘着テープＴの先端部を、仮止め部２２の挟持部２５により挟み込んで一時的に固定する。
【００７４】
次に、図５に示すように、クリップ状の鉄棒挟持部６により鉄棒Ｐを挟み込んで、鉄棒練習具用の粘着テープ貼着装置１を鉄棒Ｐに取り付ける。
【００７５】
次に、図１（図６）に示すように、アーム３（棒状体３Ａ・３Ｂ）を側方に向けて突出させて、アーム３（棒状体３Ａ・３Ｂ）を鉄棒Ｐに沿うように配置する。このとき、粘着テープＴも引き出されて、粘着面を上側に向けた状態で粘着テープＴが鉄棒Ｐに沿うように配置される。
【００７６】
そして、図６に示すように、アーム３を構成する２本の棒状体３Ａ・３Ｂを、ホルダー２のガイド部２０から離脱させ、図７に示すように、２本の棒状体３Ａ・３Ｂの基端部側を下方に向けて移動させて、鉄棒Ｐに直交するような状態とする。
【００７７】
このとき、２本の棒状体３Ａ・３Ｂは、粘着テープＴを引き出して鉄棒Ｐに沿うように配置していると共に、当該２本の棒状体３Ａ・３Ｂの先端部間に配置している粘着テープＴの仮止め部２２における掛架片２４が鉄棒Ｐに上方から当たって、２本の棒状体３Ａ・３Ｂが、鉄棒Ｐを跨ぐようにして鉄棒Ｐに吊り下げられる。
【００７８】
次に、図８に示すように、鉄棒Ｐに沿うように配置されている粘着テープＴにおいて、仮止め部２２の近傍とホルダー２の近傍のそれぞれを、所定の挟持部材３０を用いて粘着テープＴを鉄棒Ｐに押し付けるように挟み込んで、粘着テープＴを鉄棒Ｐに仮止めする。
【００７９】
次に、図９に示すように、粘着面を上側に向けた状態で、鉄棒Ｔに沿うように配置されている粘着テープＴ部分に、弾性部材１０１を宛がう。
【００８０】
具体的には、切り込み１０２に沿って弾性部材１０１を若干開いた状態とし、弾性部材１０１の開口部を上側にした状態で、鉄棒Ｐの下側から弾性部材１０１を鉄棒Ｐに宛がい、弾性部材１０１の内部に鉄棒Ｐを収容するようにして、鉄棒Ｐに弾性部材１０１を装着する。
【００８１】
この状態で、弾性部材１０１の開口部を閉じ、弾性部材１０１を上側から手で握って、下方に向けて押し付けて、弾性部材１０１の内周壁側の切り込み１０２Ａ部分を粘着テープＴに押し付けることにより、弾性部材１０１の内周壁側の切り込み１０２Ａに跨るようにして、当該切り込み１０２Ａに沿って粘着テープを確実に貼り着ける。
【００８２】
次に、図１０に示すように、弾性部材１０の両端部から突出している粘着テープＴ部分を、カッター４０等を用いてそれぞれ切断する。
【００８３】
最後に、図１１に示すように、巻物状粘着テープＴ１のホルダー２と、ホルダー２から離脱している２本の棒状体３Ａ・３Ｂを、鉄棒Ｐから撤去する。
【００８４】
そして、図１２に示すように、鉄棒練習具１００は、弾性部材１０１の内周壁側の切り込み１０２Ａに沿って粘着テープＴが貼り着けられて、鉄棒Ｐに回転可能に装着されるのである。
【００８５】
尚、本発明は、前記した実施の形態に限定されるものではなく、本発明の目的を達成できる範囲での改良・変形等は、本発明に全て包含されるものである。
【産業上の利用可能性】
【００８６】
本発明は、鉄棒に弾性部材を装着する際に使用される以外に、例えば、フェンスの手摺等に、安全用の把持部として、弾性部材を装着する際に使用する等、様々な分野において幅広く利用することができる。
【符号の説明】
【００８７】
１…鉄棒練習具用の粘着テープ貼着装置
２…ホルダー
３…アーム
３Ａ…棒状体
３Ｂ…棒状体
４…基板
５…保持部
５Ａ…側壁
５Ｂ…側壁
６…鉄棒挟持部
７…軸部
７ａ…切り込み
８…ヒンジ部
９…円孔
１０…操作部
１１…操作杆
１２…保持部
１３…受け部
１４…操作片
１５…筒状部分
１６…縦溝
１７…横溝
１８…横溝
１９…筒状部分
２０…ガイド部
２２…仮止め部
２３…板部材
２４…掛架片
２５…挟持部
３０…挟持部材
４０…カッター
Ｐ…鉄棒
Ｔ…粘着テープ
Ｔ１…巻物状粘着テープ
１００…鉄棒練習具
１０１…弾性部材
１０２…切り込み
１０２Ａ…内周壁側の切り込み
【図１】
0005327998.tif 000002
【図２】
0005327998.tif 000003
【図３】
0005327998.tif 000004
【図４】
0005327998.tif 000005
【図５】
0005327998.tif 000006
【図６】
0005327998.tif 000007
【図７】
0005327998.tif 000008
【図８】
0005327998.tif 000009
【図９】
0005327998.tif 000010
【図１０】
0005327998.tif 000011
【図１１】
0005327998.tif 000012
【図１２】
0005327998.tif 000013